(57)【要約】【課題】ＩＣカード、ＩＣタグ等のデータキャリアを用いて商品を購入し得る自動販売機において、データキャリアからの金額データの読み出しからデータキャリアへの残額データの書き込みまでの時間までデータキャリアをかざす必要があり、データかざし時間が長い。【解決手段】データキャリアに対して金額データ読み書きするリーダライタ１２を、購入商品を指定する商品指定スイッチ１５の操作がなされた直後に書き込み必要データ（購入金額及び時間）を送信する演算処理手段１７を設け、リーダライタ１２により金額データの読み取りがなされた時点で、すぐにデータキャリアへ残額の書き込みを行う。【選択図】　図１
2004054321.tif 000002
【特許請求の範囲】
【請求項１】
非接触データキャリアとこの非接触データキャリアのデータを読み書きするリーダライタを利用して商品販売を行う自動販売機において、先に商品指定スイッチによる商品選択をし、次に前記非接触データキャリアとの読み書きを行う前に、選択された商品の書き込み必要情報を予め前記リーダライタに対して送信することを特徴とする自動販売機。
【請求項２】
購入商品の商品指定スイッチと、前記商品指定スイッチの指定操作に応じて購入商品を投出する投出装置と、金額データが記録されたデータキャリアに対して非接触で金額データの読み取りを行い、金額データから購入商品の代金を差し引いた残額を求め、データキャリアに対して非接触で残額の書き込みを行うリーダライタと、前記商品指定スイッチによる指定操作がなされたとき、前記リーダライタを読み書きが可能なスタンバイ状態に移行させ、前記リーダライタに読み取られた金額データに基づいて販売の可否を判定する演算処理手段とからなる自動販売機において、前記演算処理手段は、前記商品指定スイッチによる指定操作がなされた直後に前記リーダライタに対して、予め書き込み必要情報を送信し、その後前記データキャリアと前記リーダライタの間で金額データの読み取り、書き込み操作を行うことを特徴とする自動販売機。
【請求項３】
書き込み必要情報として少なくとも購入金額情報を含むことを特徴とする請求項１または請求項２に記載の自動販売機。
【請求項４】
演算処理手段は、商品指定スイッチの指定操作の後、リーダライタによる読み取りが所定の有効時間になされないとき、スタンバイ状態を解除させる構成とした請求項１から請求項３のいずれか一項に記載の自動販売機。
【請求項５】
有効時間を可変に設定する時間設定手段を備えた請求項４に記載の自動販売機。
【請求項６】
時間設定手段は、時間帯毎に異なる有効時間の設定が可能に構成とした請求項５に記載の自動販売機。
【請求項７】
演算処理手段は、商品指定スイッチを商品の数に対応して複数備え、これらの前記商品指定スイッチの指定操作が連続してなされたとき、先の指定操作に対応する商品の指定を無効とさせる構成とした請求項１から請求項６のいずれか一項に記載の自動販売機。
【請求項８】
演算処理手段は、商品指定スイッチを商品の数に対応して複数備え、これらの前記商品指定スイッチの指定操作が連続してなされたとき、夫々の指定操作に対応する商品の指定の全てを有効とさせる構成とした請求項１から請求項６のいずれか一項に記載の自動販売機。
【発明の詳細な説明】
【０００１】
【発明の属する技術分野】本発明は、ＩＣカード、ＩＣタグ等、非接触での読み取りが可能な金額データが記録されたデータキャリアを用いての商品の購入が可能に構成された自動販売機に関する。
【０００２】
【従来の技術】近年、非接触での読み取りが可能な金額データが記録されたデータキャリアを用いての商品の購入が可能な自動販売機が普及している。
【０００３】
以下、図面を参照しながら上記従来の自動販売機を説明する。
【０００４】
図６は、従来の自動販売機の外観を示す正面図である。図７は、従来の自動販売機のブロック図である。図８は、従来の自動販売機の購入シーケンス図である。
【０００５】
図６において、１は自動販売機である。１０は販売商品を収納する本体筐である。１１は透明樹脂製の前面パネルにより覆われた商品見本の陳列棚である。１２は陳列棚１１の一側下部に、金額データが記録されたデータキャリアに対して非接触で金額データの読み取りを行い、読み取った金額データから購入商品の代金を差し引いた残額を求め、データキャリアに対して非接触で残額の書き込みを行うリーダライタである。１３はリーダライタ１２の操作に関連した表示を行う表示部である。１４は本体筐１０の前面下部に購入商品の取り出し口である。１５は購入希望の商品を指定するための押しボタン式の商品指定スイッチである。
【０００６】
図７において１６は商品指定スイッチ１５の操作に応じた商品を投出する投出装置である。また、１７はリーダライタ１２に読み取られた金額データに基づいて販売の可否を判定する精算処理手段である。また、精算処理手段１７は商品指定スイッチ１５による指定操作がなされたことを条件として、リーダライタ１２を読み書きが可能なスタンバイ状態に移行させる構成としてある。
【０００７】
陳列棚１１の内部には、販売商品に対応する商品見本２が、縦横各複数列に並べて配置されており、陳列棚１１の前面パネルには、購入希望の商品を指定するための押しボタン式の商品指定スイッチ１５、商品見本２の夫々に対応するように前面外部からの操作可能に並設されている。また本体筐１０の内部には、商品見本２の夫々に対応する商品の収納部と、収納部から商品を投出する投出装置１６とが備えられ、収納部に収納された商品は、商品指定スイッチ１５の操作に応じた投出装置１６の動作により、取り出し口１４の内側に設けた取り出し室に選択的に投出されるようになしてある。なお、収納部は、各種の自動販売機において一般的に設けられているものであり、夫々の構成の図示、及び詳細な説明は省略する。
【０００８】
以上のように構成された構成された自動販売機について、以下その動作を説明する。
【０００９】
自動販売機１において、利用者は、陳列棚１１内部の商品見本２を、これら夫々に付設された代金表示と共に視認して購入希望商品を決定し、次いで、対応する商品指定スイッチ１５を押圧操作して商品を指定し、その後、リーダライタ１２の前面部に自身が携帯するデータキャリアを近接させて、後述する手順にて精算処理を行わせることにより所望の商品を購入することができる。
【００１０】
なお図６に示す自動販売機１は、ＩＣカード、ＩＣタグ等のデータキャリアを使用しての販売専用として構成してあるが、硬貨、紙幣等の現金の投入口をリーダライタ１２の配設位置の近傍に併設し、投入口に投入された現金による販売を併せて行い得る構成としてもよい。なお、現金を使用した販売は、従来から行われているように、まず、投入口に所要の硬貨又は紙幣を投入し、その後、購入を希望する商品に対応する商品指定スイッチ１５を押圧操作する手順により行われる。
【００１１】
図８のフローチャートにおいて、まず精算処理手段１７が、購入商品の指定のために商品指定スイッチ１５の操作がなされたことを条件としてリーダライタ１２をスタンバイ状態に移行させ、例えば、表示ランプの点灯、メッセージの表示等により、データキャリアをリーダライタ１２に近付ける操作を促し、リーダライタ１２によりデータキャリアに記録された金額データを読み取り、リーダライタ１２が精算処理手段１７に対してカード検出及び金額データを通知する。
【００１２】
続いて、精算処理手段１７がリーダライタ１２より送信された金額データと先に指定された購入商品の代金を比較して販売可能の可否を判定し、販売可能であればリーダライタ１２に対して購入金額及び自販機個別データ（時間データ）を送信し、更新指示を行う。そして、更新指示されることによりリーダライタ１２は読み取った金額データから精算処理手段１７から受信した購入金額を差し引いて、残額を求め、データキャリアに書き込みを行い、商品が投出される。
【００１３】
【発明が解決しようとする課題】
しかしながら、上記従来の構成は、データキャリアから金額データを読み出した後からデータキャリアに残額を書き込みを行うまでの間で、データキャリア〜リーダライタ〜精算処理手段の一連の動作が終了するまでデータキャリアをかざす必要があり、このデータキャリアへのデータ読み書き時間は瞬時という感覚ではなく、一定時間をおいて、データキャリアを引去るという感覚であり、データキャリアへのデータ読み書き時間（約０．６秒）が長く感じられるという課題があった。
【００１４】
本発明は、従来の課題を解決するもので、構成の複雑化及び不自然な操作を伴わずに販売時におけるデータキャリアへのデータの読み書き時間の短縮及び良好な操作性を図ることができる自動販売機を提供することを目的とする。
【００１５】
【課題を解決するための手段】
本発明の請求項１に記載の発明は、非接触データキャリアとこの非接触データキャリアのデータを読み書きするリーダライタを利用して商品販売を行う自動販売機において、先に商品指定スイッチによる商品選択をし、次に前記非接触データキャリアとの読み書きを行う前に予め書き込み必要情報を前記リーダライタに対して送信するものであり、データキャリアとリーダライタの読み書きをする前に書き込みデータがリーダライタに届いているために、商品販売時に自動販売機から書き込み必要情報を送信する必要がなく、データキャリアへのデータ読み書き時間が短縮できる作用を有する。
【００１６】
請求項２に記載の発明は、購入商品の商品指定スイッチと、前記商品指定スイッチの指定操作に応じて購入商品を投出する投出装置と、金額データが記録されたデータキャリアに対して非接触で金額データの読み取りを行い、読み取った金額データから購入商品の代金を差し引いた残額を求め、データキャリアに対して非接触で残額の書き込みを行うリーダライタと、前記商品指定スイッチによる指定操作がなされたとき、前記リーダライタを読み書きが可能なスタンバイ状態に移行させ、前記リーダライタに読み取られた金額データに基づいて販売の可否を判定する演算処理手段とを備える自動販売機において、前記演算処理手段は、前記商品指定スイッチによる指定操作がなされたとき、予め前記リーダライタに対してデータキャリアへの書き込みに必要な情報である書き込み必要情報を送信するとしたものであり、データキャリアとリーダライタの読み書きをする前に書き込みデータがリーダライタに届いているために、商品販売時に自動販売機から書き込み必要情報を送信する必要がなく、データキャリアへのデータ読み書き時間が短縮できる作用を有する。
【００１７】
請求項３に記載の発明は、請求項１または請求項２に記載の書き込み必要情報の少なくとも１つを購入金額としたものであり、演算処理手段は、商品指定スイッチによる指定操作がなされたとき、予めリーダライタに対してデータキャリアへの書き込みに必要な情報である書き込み必要情報を送信するとしたものであり、データキャリアとリーダライタの読み書きをする前に書き込みデータである購入金額情報がリーダライタに届いているために、商品販売時に自動販売機から書き込み必要情報を送信する必要がなく、データキャリアへのデータ読み書き時間が短縮できる作用を有する。
【００１８】
請求項４に記載の発明は、請求項１から請求項３に記載の発明において、演算処理手段が、商品指定スイッチの指定操作の後、リーダライタによる読み取りが所定の有効時間になされないとき、前記リーダライタのスタンバイ状態を解除させる構成としたものであり、前記商品指定スイッチの指定操作を条件として移行させた前記リーダライタのスタンバイ状態の有効時間を予め設定し、この有効時間が経過するまでの間金額データの読み取りがなされなかったとき、前記商品指定スイッチが誤って操作されたと判定し、次なる使用に備えるべくスタンバイ状態を解除する作用を有する。
【００１９】
請求項５に記載の発明は、請求項４に記載の発明に、さらに、有効時間を可変に設定する時間設定手段を備えたものであり、商品指定スイッチの指定操作後にリーダライタのスタンバイ状態を継続させる有効時間を可変に設定し、販売商品の種別、品数、使用頻度等、種々に異なる使用条件への適正な対応を可能とする作用を有する。
【００２０】
請求項６に記載の発明は、請求項５の記載の発明において、時間設定手段を時間帯毎に異なる有効時間の設定が可能とするように構成したものであり、夜間、早朝、昼間、夕方等の時間帯毎に異なる有効時間の設定を可能とし、より細かい使用条件の変化に対して適正な対応を可能とする作用を有する。
【００２１】
請求項７に記載の発明は、請求項１から請求項６に記載の発明において、演算処理手段が、商品指定スイッチを商品の数に対応して複数備え、前記商品指定スイッチの指定操作が連続してなされたとき、先の指定操作に対応する商品の指定を無効とするように構成したものであり、複数の前記商品指定スイッチが連続して指定操作されたとき、先になされた前記商品指定スイッチの指定操作が無効となり、誤まった指定操作のキャンセルを容易に行わせる作用を有する。
【００２２】
請求項８に記載の発明は、請求項１から請求項６に記載の発明において、演算処理手段が、商品指定スイッチを商品の数に対応して複数備え、前記商品指定スイッチの指定操作が連続してなされたとき、夫々の指定操作に対応する商品の指定の全てを有効とするように構成したものであり、複数の前記商品指定スイッチが連続して操作されたとき、夫々の操作に対応する商品の指定が全て有効となり、複数の商品の一括購入、所謂、まとめ買いを容易に行わせる作用を有する。
【００２３】
【発明の実施の形態】
以下、本発明による実施の形態について、図面を参照しながら説明する。なお、従来と同一構成については、同一符号を付して詳細な説明を省略する。
【００２４】
（実施の形態１）
図１は、本発明の実施の形態１による自動販売機のブロック図である。図２は、同実施の形態１の購入シーケンス図である。図３は、同実施の形態１の動作を示すフローチャートである。
【００２５】
図１は、自動販売機１の制御系の構成を示すブロック図である。
【００２６】
同図において、１８はリーダライタ１２のスタンバイ状態を継続する有効時間Ｔを設定する時間設定手段である。１９はマイクロプロセッサを用いてなる演算処理手段であり、演算処理手段１９は商品指定スイッチ１５を商品の数に対応して複数備え、これらの商品指定スイッチ１５の指定操作が連続してなされたとき、先の指定操作に対応する商品の指定を無効とさせたものである。
【００２７】
演算処理手段１９の入出力側は、商品指定スイッチ１５が接続されており、これらからの入出力に基づいて演算処理手段１９は、商品指定の有無を認識するようになしてある。なお図中には、複数の商品指定スイッチ１５が一つのブロックにより示してある。
【００２８】
また、演算処理手段１９の出力側は、商品投出のための投出装置１６に与えられている。また演算処理手段１９の入力側には、リーダライタ１２から、後述する精算動作を終えたことを示す精算完了信号が与えられており、演算処理手段は、精算完了信号に基づいて販売の可否を認識するようになしてある。演算処理手段１９は、リーダライタ１２から精算完了信号が与えられたとき、商品指定スイッチ１５の操作状態に基づいて投出装置１６に動作指令信号を発し、投出装置１６の動作により商品指定スイッチ１５の操作により指定された商品を投出させる動作をなす。
【００２９】
更に演算処理手段１９の入力側には、自動販売機１の各部に配した図示しない状態検出センサの出力が与えられており、演算処理手段１９は、例えば、複数の収納部夫々に収納された商品の量、投出装置１６の故障の有無等、状態検出センサの夫々の出力に基づいて自動販売機１各部の状態を認識し、警報の発生、又は所定の表示により、利用者又は設置者に報知せしめる補助制御動作を行う。この補助制御動作を含めた演算処理手段１９の動作は、自動販売機において従来から広く行われている制御動作であり詳細な説明は省略する。
【００３０】
また、演算処理手段１９には、本体筐１０の前面に前述の如く配されたリーダライタ１２が、相互間での信号の授受が可能に接続されている。リーダライタ１２は、データキャリアに記録された金額データの読み取り、及びデータキャリアへの金額データの書き込みを非接触にて行わせる構成としたものである。
【００３１】
また、演算処理手段１９の入力側には、リーダライタ１２が後述するスタンバイ状態を継続する有効時間Ｔを設定するための時間設定手段１８が接続されている。
【００３２】
時間設定手段１８は、本体筐１０の内部に設置され、例えば、商品補充のためになされる本体筐１０の開放時に、自動販売機１の設置者により操作され、前述した有効時間Ｔの設定が行われる。時間設定手段１８による有効時間Ｔは、演算処理手段１９に与えられる。
【００３３】
以上のように構成された自動販売機について、以下その動作を説明する。
【００３４】
図２において、演算処理手段１９が、購入商品の指定のために商品指定スイッチ１５の操作がなされたことを条件としてリーダライタ１２に対して書き込みに必要な指定された商品の購入金額及び現在時刻である書き込み必要情報を送信し、リーダライタ１２をスタンバイ状態に移行させる。
【００３５】
例えば、（図示しない）表示ランプの点灯、メッセージの表示等により、ＩＣカード、ＩＣタグ等のデータキャリアをリーダライタ１２に近付ける操作を促し、リーダライタ１２によりデータキャリアに記録された金額データを読み取り、リーダライタ１２が演算処理手段１９に対してカード検出及び金額データを通知する。また、データキャリアがリーダライタ１２により読み込まれた時、演算処理手段１９により書き込みに必要な書き込み必要情報（購入金額及び時間データ）がリーダライタ１２にすでに送信されているので、リーダライタ１２は読み取った金額データから購入金額を差し引いて、残額を求め、すぐにデータキャリアへの書き込みを行うことができ、データキャリアを引去ることができる。そして、データキャリアへの書き込み終了と同時にリーダライタ１２が演算処理手段１９に対して残額通知を行い、商品が投出される。
【００３６】
さらに図３のフローチャートを用いて動作を説明する。
【００３７】
まず演算処理手段１９は、自動販売機１の電源投入と共に動作を開始し、入力側に接続された商品指定スイッチ１５の操作の有無を監視し（ステップ１）、これらの操作がなされるまで待機し、いずれかの商品指定スイッチ１５の操作がなされた場合、リーダライタ１２に対し、演算処理手段１９がデータキャリアへの書き込みに必要な書き込み必要情報（購入金額及び時間データ）を送信し、リーダライタ１２にスタンバイ指令を発し、リーダライタ１２を読み書きが可能なスタンバイ状態に移行させる（ステップ２）。
【００３８】
この移行を行わせた後、演算処理手段１９は、リーダライタ１２からの入力により、データキャリアからの金額データの読み取りがなされたか否かを判定し（ステップ３）、また商品指定スイッチ１５の新たな操作がなされたか否かを判定し（ステップ４）、更に、内蔵タイマの計時により、スタンバイ状態への移行後の経過時間が有効時間Ｔに達したか否かを判定する（ステップ５）。
【００３９】
ステップ３、ステップ４及びステップ５での判定の結果、スタンバイ状態への移行後、リーダライタ１２による読み取りがなされず、また商品指定スイッチ１５の新たな操作がなされないまま有効時間Ｔが経過したと判定された場合、演算処理手段１９は、リーダライタ１２に解除指令を発し、先に設定されたスタンバイ状態を解除させ（ステップ６）、その後、ステップ１に戻り、次なる操作がなされるまで待機する。
【００４０】
またステップ３での判定の結果、リーダライタ１２による読み取りがなされたと判定された場合、演算処理手段１９が、商品指定スイッチ１５により有効に指定された商品を投出させる（ステップ８）。次いで、ステップ１に戻り、次なる操作が行われるまで待機する。
【００４１】
更に、ステップ４での判定の結果、商品指定スイッチ１５の新たな操作がなされたと判定された場合、演算処理手段１９は、先の操作によりなされた商品の指定をキャンセル（無効）とし（ステップ７）、その後ステップ２に戻り、リーダライタ１２を新たにスタンバイ状態として前述した動作を繰り返す。
【００４２】
以上のように本実施の形態１の自動販売機は、データキャリアの読み取り操作がなされた場合、予めリーダライタ１２には書き込みに必要な書き込み必要情報が通知されているので、すぐにデータキャリアへの書き込みが行われ、利用者は、リーダライタ１２に対するデータキャリアの接近操作を瞬時に行うことができ、データキャリアへのデータ読み書き時間の短縮を図ることができる。
【００４３】
なおこのような操作手順は、リーダライタ１２に並列された表示部１３に表示させることができ、この表示により、操作性の改善を図ることができる。
【００４４】
また、演算処理手段１９の動作により、商品指定スイッチ１５のいずれかが操作されたことを条件としてリーダライタ１２が読み書き可能なスタンバイ状態に移行し、このスタンバイ状態が有効時間Ｔが経過するまで継続するようにしたので、利用者は、まず、購入を希望する商品に対応する商品指定スイッチ１５を操作し、購入の意志を十分に固めた後、リーダライタ１２に対してデータキャリアを接近させる操作を行えばよく、誤った操作がなされる虞れが少なくすることができる。
【００４５】
また、リーダライタ１２のスタンバイ状態は、有効時間Ｔの経過後に解除されるから、利用者は、商品指定スイッチ１５を誤って操作した場合、携帯しているデータキャリアをリーダライタ１２に接近させることなく放置することにより、購入を取り止めることができ、不本意な精算処理を強いられる虞れをなくすことができる。
【００４６】
また、有効時間Ｔは、時間設定手段１８により可変に設定することができ、前述した購入の取り止めがなされた後に新たな使用の開始が可能な時間を変更することができる。従って、販売商品の種別、品数、使用頻度等、使用条件に応じた適正な有効時間Ｔを設定することにより、次の利用者に無用な待ち時間を強いることがなくすことができるという効果が得られる。
【００４７】
また、時間設定手段１８においては、時間帯毎に異なる有効時間Ｔの設定が可能であり、夜間、早朝、昼間、夕方等、時間帯毎に異なる使用条件に対し、適正な待ち時間をより細かく設定することができる。
【００４８】
また、有効時間Ｔ内に新たな商品指定スイッチ１５の操作がなされた場合、前回の操作に対応する商品の指定が無効とされるから、利用者は、誤った商品指定スイッチ１５を操作した場合、希望する商品に対応する商品指定スイッチ１５を再度操作することにより有効時間Ｔの経過を待たずにキャンセルすることができ、その後に正しい商品指定スイッチ１５を操作することにより希望する商品を速やかに購入することができる。
【００４９】
（実施の形態２）
図４は、本発明による自動販売機の実施の形態２のブロック図である。図５は、本発明の実施の形態２の動作を示すフローチャートである。
【００５０】
図４においては、１９ａはマイクロプロセッサを用いてなる演算処理手段であり、実施の形態１における演算処理手段１９を、商品指定スイッチ１５を商品の数に対応して複数備え、これらの商品指定スイッチ１５の指定操作が連続してなされたとき、夫々の指定操作に対応する商品の指定の全てを有効とさせたものである。
【００５１】
図５においては、図３のフローチャートにおけるステップ７をなくし、ステップ４での判定の結果、商品指定スイッチの新たな操作がなされたと判定された場合、無条件にステップ２に戻り、リーダライタ１２を新たにスタンバイ状態として前述した動作を繰り返すようにしてある。
【００５２】
以上のように本実施の形態２の自動販売機は、商品指定スイッチ１５の操作が有効時間Ｔ内に複数回行われた場合、これらの操作による商品の指定が有効なままに残るので、利用者は、商品指定スイッチ１５を連続して操作することにより、複数の商品のまとめ買いをすることができる。
【００５３】
【発明の効果】
以上説明したように請求項１に記載の発明は、非接触データキャリアとこの非接触データキャリアのデータを読み書きするリーダライタを利用して商品販売を行う自動販売機において、先に商品指定スイッチによる商品選択をし、次に前記非接触データキャリアとの読み書きを行う前に予め書き込み必要情報を前記リーダライタに対して送信するものであり、データキャリアとリーダライタの読み書きをする前に書き込みデータがリーダライタに届いているために、商品販売時に自動販売機から書き込み必要情報を送信する必要がなく、データキャリアへのデータ読み書き時間が短縮できる。
【００５４】
また、請求項２に記載の発明は、データキャリアに対して金額データの読み書きを行うリーダライタが、購入商品の商品指定スイッチの操作を条件としてデータキャリアへの書き込みに必要な情報である書き込み必要情報（購入金額及び時間データ）を予めリーダライタに送信し、その後データキャリアをかざした時に、直ちに残額を書き込むようにしたので、利用者は、データキャリアを瞬時にかざすだけで、購入することができ、データキャリアへのデータ書き込み時間を短縮することができる。
【００５５】
また、請求項３に記載の発明は、請求項１または請求項２に記載の書き込み必要情報の少なくとも１つを購入金額としたものであり、演算処理手段は、商品指定スイッチによる指定操作がなされたとき、予めリーダライタに対してデータキャリアへの書き込みに必要な情報である書き込み必要情報を送信するとしたものであり、データキャリアとリーダライタの読み書きをする前に書き込みデータの一つである購入金額情報がリーダライタに届いているために、商品販売時に自動販売機から書き込み必要情報を送信する必要がなく、データキャリアへのデータ読み書き時間が短縮することができる。また、書き込み情報が増えると予め書き込むことで、さらにデータキャリアへのデータ読み書き時間が短縮することができる。
【００５６】
また、請求項４に記載の発明は、請求項１または請求項２に記載の発明に加えて、リーダライタのスタンバイ状態を継続する有効時間を設定し、商品指定スイッチの操作による購入商品の指定操作後、有効時間の経過を待ってスタンバイ状態を解除する構成としたので、指定手段の誤った操作がなされた後の使用可能状態への復帰を速やかに行わせることができ、次の利用者に無為な待ち時間を強いる虞れがなくすことができる。
【００５７】
また、請求項６に記載の発明は、請求項５の記載の発明において、時間設定手段を時間帯毎に異なる有効時間の設定が可能とするように構成したものであり、夜間、早朝、昼間、夕方等の時間帯毎に異なる有効時間の設定を可能とし、より細かい使用条件の変化に対して適正な対応ができる。
【００５８】
また、請求項５に記載の発明は、請求項１または請求項２に記載の発明に加えて、リーダライタのスタンバイ状態を継続する有効時間を可変に設定する時間設定手段を備え、更に請求項６に記載の発明においては、時間設定手段を時間帯毎に異なる設定を可能としたことにより、販売商品の種別、品数、使用頻度等、誤った操作がなされた後の復帰時間を、種々に異なる使用条件下にて適正に設定することが可能となり、一層良好な操作性を実現することができる。
【００５９】
また請求項７に記載の発明は、複数の指定手段が連続して操作されたとき、先の操作に対応する指定を無効としたことにより、誤まった指定商品のキャンセルを有効時間の経過を待たずに行わせることができる。
【００６０】
また請求項８に記載の発明は、複数の商品指定スイッチが連続して操作されたとき、夫々の操作に対応する指定の全てを有効としたことにより、複数の商品の一括購入を容易に行わせることができる。
【図面の簡単な説明】
【図１】本発明による自動販売機の実施の形態１のブロック図
【図２】同実施の形態１の購入シーケンス図
【図３】同実施の形態１の演算処理手段の動作を示すフローチャート
【図４】本発明による自動販売機の実施の形態２のブロック図
【図５】同実施の形態２の演算処理手段の動作を示すフローチャート
【図６】従来の自動販売機の外観を示す正面図
【図７】従来の自動販売機のブロック図
【図８】従来の自動販売機の販売動作内容を示す購入シーケンス図
【符号の説明】
１　自動販売機
２　商品見本
１０　本体筐
１１　陳列棚
１２　リーダライタ
１３　表示部
１４　取り出し口
１５　商品指定スイッチ
１６　投出装置
１７　精算処理手段
１８　時間設定手段
１９　演算処理手段
１９ａ　演算処理手段
【図１】
2004054321.tif 000003
【図２】
2004054321.tif 000004
【図３】
2004054321.tif 000005
【図４】
2004054321.tif 000006
【図５】
2004054321.tif 000007
【図６】
2004054321.tif 000008
【図７】
2004054321.tif 000009
【図８】
2004054321.tif 000010